(57)【要約】【課題】斬新な装飾機能を奏するとともに、遊技盤への障害釘の植設に支障をきたすことがないパチンコ機を提供する。【解決手段】パチンコ機１は、遊技盤４の表面に、合成樹脂製の装飾シート１５が貼着されており、その装飾シート１５の表面に、近紫外線発光材料からなる発光塗料１９による装飾が施されている。また、装飾シート１５の上には、カバーシート１６が積層されており、そのカバーシート１６の側方には、カバーシート１６の面と沿った方向に近紫外線を照射する内部ＬＥＤ１７，１７・・、外部ＬＥＤ１８，１８・・が設置されている。そして、内部ＬＥＤ１７，１７・・、外部ＬＥＤ１８，１８・・による近紫外線の照射によって、発光塗料１９による装飾が発光するようになっている。【選択図】図２
2008289935.tif 000002
【特許請求の範囲】
【請求項１】
遊技盤本体の表面にカラー印刷を施した合成樹脂製の装飾シートが貼着されたパチンコ機であって、
装飾シートの表面に、近紫外線の照射によって発光する近紫外線発光材料が塗装されているとともに、装飾シートの表面に沿った方向に近紫外線を照射する近紫外線発光体が設置されていることを特徴とするパチンコ機。
【請求項２】
装飾シートの外側に、合成樹脂製のカバーシートが積層されているとともに、カバーシートの装飾シートと当接する面に、粗面化加工が施されていることを特徴とする請求項１に記載のパチンコ機。
【請求項３】
近紫外線発光体が、遊技盤に設置された遊技部材に取り付けられており、その遊技部材の周囲に近紫外線発光材料が塗装されていることを特徴とする請求項１、または請求項２に記載のパチンコ機。
【請求項４】
遊技盤上に遊技球レールによって遊技領域が区画されており、近紫外線発光体が、その遊技領域の外周に沿って設置されていることを特徴とする請求項１〜３のいずれかに記載のパチンコ機。
【発明の詳細な説明】
【技術分野】
【０００１】
本発明は、パチンコ機に関するものである。
【背景技術】
【０００２】
通常のパチンコ機は、遊技盤の表面に、カラー印刷を施した合成樹脂製の装飾シートが貼着されており、その装飾シートの上（外側）に、装飾保護用の合成樹脂製のカバーシートが積層されている（特許文献１）。また、パチンコ機の中には、遊技盤面の内部にＬＥＤを規則正しく配置させた基板等を嵌め込んで、それらのＬＥＤを発光させることにより、装飾シート上の装飾を裏側から発光させるようにしたものがある。
【０００３】
【特許文献１】特開平８−２７１１１４号公報
【発明の開示】
【発明が解決しようとする課題】
【０００４】
しかしながら、上記、遊技盤に発光体を嵌め込んだパチンコ機は、発光体の発光によって装飾部分が発光するものの、発光する装飾は、発光前から認識できるものであるため、斬新さに欠ける面がある。また、遊技盤に発光体を嵌め込んだパチンコ機は、遊技盤の発光体の嵌め込み位置に障害釘を植設することができない、という不具合もある。
【０００５】
本発明の目的は、上記従来のパチンコ機が有する問題点を解消し、斬新な装飾機能を奏するとともに、遊技盤への障害釘の植設に支障をきたすことがないパチンコ機を提供することにある。
【課題を解決するための手段】
【０００６】
かかる本発明の構成のうち、請求項１に記載された発明の構成は、遊技盤本体の表面にカラー印刷を施した合成樹脂製の装飾シートが貼着されたパチンコ機であって、装飾シートの表面に、近紫外線の照射によって発光する近紫外線発光材料が塗装されているとともに、装飾シートの表面に沿った方向に近紫外線を照射する近紫外線発光体が設置されていることにある。なお、紫外線発光材料としては、硫化カルシウムや硫化バリウムを加えたポリオレフィン、ポリエステル等の各種の合成樹脂材料を用いることができる。また、近紫外線発光体としては、３５０ｎｍ〜４０５ｎｍの近紫外線を照射する市販のブラックライトやＬＥＤ等を好適に用いることができる。
【０００７】
請求項２に記載された発明の構成は、請求項１に記載された発明において、装飾シートの外側に、合成樹脂製のカバーシートが積層されているとともに、カバーシートの装飾シートと当接する面に、粗面化加工が施されていることにある。なお、粗面化加工とは、表面に微細な凹凸を付与する加工のことであり、コロナ放電を利用した放電加工や、シボ加工、梨地加工、縮み加工等、表面に約１μｍ〜２０００μｍ程度の凹凸を形成する各種の加工方法を採用することができる。
【０００８】
請求項３に記載された発明の構成は、請求項１、または請求項２に記載された発明において、近紫外線発光体が、遊技盤に設置された遊技部材に設置されていることにある。なお、遊技部材は、図柄表示装置、各種入賞装置、ゲート、風車、ランプ等の遊技の趣向性を高める目的等により遊技盤面に設置された各種の装置、部材のことである。
【０００９】
請求項４に記載された発明の構成は、請求項１〜３のいずれかに記載された発明において、遊技盤上に遊技球レールによって遊技領域が区画されており、近紫外線発光体が、その遊技領域の外周に沿って設置されていることにある。
【発明の効果】
【００１０】
請求項１に記載されたパチンコ機は、装飾シートの表面に、近紫外線の照射によって発光する近紫外線発光材料が塗装されているとともに、装飾シートの表面に沿った方向に近紫外線を照射する近紫外線発光体が設置されており、通常時には、目に見えない近紫外線発光材料による装飾が、近紫外線発光体による近紫外線の照射によって目視できるようになるため、装飾が斬新であり、遊技者の遊技に対する興味を高く維持することができる。加えて、かかる装飾効果を有しているにも拘わらず、何ら問題なく、遊技盤面の任意の位置に障害釘を植設することができる。
【００１１】
請求項２に記載されたパチンコ機は、カバーシートの装飾シートと当接する面に、粗面化加工が施されており、近紫外線発光体によって照射された近紫外線がカバーシートと装飾シートとの界面を進行する際に、カバーシートの裏面に形成された微細な凹凸によって散乱しながら進行するため、近紫外線発光体の発光量が僅かである場合でも、多くの近紫外線が近紫外線発光材料に当たり、近紫外線発光材料による装飾が非常に明るく発光するので、少ない電気量で効率的に、斬新な装飾機能を発揮することができる。
【００１２】
請求項３に記載されたパチンコ機は、近紫外線発光体が、遊技盤に設置された遊技部材に設置されており、その遊技部材の周囲に近紫外線発光材料が塗装されているので、近紫外線発光体の発光により、近紫外線発光体を設置した遊技部材を周囲から際立たせることができる。
【００１３】
請求項４に記載された発明の構成は、請求項１〜３のいずれかに記載された発明において、遊技盤上に遊技球レールによって遊技領域が区画されており、近紫外線発光体が、その遊技領域の外周に沿って設置されているので、近紫外線発光体を発光させることにより、遊技領域を、遠くからみた場合でも目立つように際立たせることができる。
【発明を実施するための最良の形態】
【００１４】
以下、本発明の遊技機の一実施形態であるパチンコ機を、図面に基づいて詳細に説明する。
【００１５】
図１は、パチンコ機の正面を示したものである。パチンコ機１は、周囲が機枠２によって覆われており、その機枠２には、ガラス板を嵌め込んだ前面枠３が、左端縁を中心として片開き自在に設置されている。また、前面枠３の後方には、金属製のミドル枠（図示せず）が、左端縁を中心として片開き自在に設けられており、そのミドル枠には、各種の入賞口を設置し多数の釘を植設した遊技盤４が嵌め込み設置されている。
【００１６】
図２は、遊技盤４を拡大して示したものであり、遊技盤４には、帯状の遊技球誘導レール５が略円形に立設されており、内部が遊技領域６として区画されている。そして、その遊技領域６には、図柄を変動表示可能な図柄表示装置７、開閉自在な普通電動役物８、遊技球が通過可能なゲート９，９、上端縁を中心として開閉する大入賞口１０、サイドランプ１１，１１、風車１２，１２・・等が設置されており、多数の障害釘１３，１３・・が植設されている。
【００１７】
図３は、遊技盤４の図柄表示装置７の設置部分の水平断面（図２におけるＡ−Ａ線断面）を拡大して示したものである。遊技盤４は、木製の板部材（遊技盤本体）１４の表面に、ポリウレタンからなる装飾シート１５が貼着されている。そして、図柄表示装置７と隣接した装飾シート１５の表面には、近紫外線発光材料（リンテック株式会社製「オーロレインボー」）からなる発光塗料１９によって、図柄表示装置７から周囲に放射する方向に、稲妻状の模様が描かれている（図２の波線）。なお、かかる模様は、通常時には、装飾シートの地の白色と同一の色を呈しており、遊技者が認識できないようになっている。
【００１８】
装飾シート１５の上には、セルロース系プラスチックからなる約２．０ｍｍのカバーシート（イーストマン・ケミカル社製「キャブロイド」）１６が積層されており、遊技盤４の盤面を流下する遊技球によって、装飾シート１５の装飾が損傷しないようになっている。また、カバーシート１６の裏側（装飾シート１５と当接している面）には、コロナ放電による放電加工が施されており、約１００μｍ程度の微細な凹凸が形成されている。
【００１９】
一方、図柄表示装置７の外周の遊技盤４内に入り込んだ部分には、発光体設置部２１が凹状に設けられている。そして、その発光体設置部２１には、３５０ｎｍ〜４０５ｎｍの近紫外線を選択的に照射する複数の内部ＬＥＤ１７，１７・・が、カバーシート１６の端面と対峙してカバーシート１６の表面と略平行な方向を向くように（正確には、やや装飾シート１５の表面の方向を向くように）設置されている。また、図柄表示装置の外周に設けられた固定片（遊技盤面と当接する部分）２０の前方には、同様な近紫外線を照射する複数の外部ＬＥＤ１８，１８・・が、保護カバーの表面と略同じ方向を向くように（正確には、やや装飾シート１５の表面の方向を向くように）設置されている。
【００２０】
かかるパチンコ機１は、図柄表示装置７に所定の大当たり図柄（たとえば、「７，７，７」）が表示された場合に、「大当たり状態」が生起し、大入賞口１０が所定回数だけ断続的に開成するようになっている。また、「大当たり状態」が生起したと同時に、それまで、遊技盤４の盤面で発光していたサイドランプ１１，１１等が一斉に消灯する。しかる後に、内部ＬＥＤ１７，１７・・および外部ＬＥＤ１８，１８・・が効果音とともに一斉に発光する。なお、外部ＬＥＤ１８，１８・・からは近紫外線のみが照射されるため、遊技者は、外部ＬＥＤ１８，１８・・自体の発光を目視することができない。そして、上記した内部ＬＥＤ１７，１７・・、外部ＬＥＤ１８，１８・・の発光によって、装飾シート１５の表面の近紫外線塗料からなる発光塗料に近紫外線が当たり、発光塗料からなる装飾部分が明瞭な緑色に発光する。
【００２１】
また、内部ＬＥＤ１７，１７・・、外部ＬＥＤ１８，１８・・によって照射された近紫外線は、図４の如く、カバーシート１６と装飾シート１５の界面を進行する際に、カバーシート１６の裏面に形成された微細な凹凸によって散乱しながら進行する。このため、多くの近紫外線が発光塗料１９に当たるため、発光塗料１９による装飾部分が、非常に明るく発光する。そして、遊技者に対し、今までにない斬新なイメージを提供する。
【００２２】
パチンコ機１は、上記の如く、装飾シート１５の表面に、近紫外線発光材料からなる発光塗料１９が塗装されているとともに、装飾シート１５の表面に沿った方向に近紫外線を照射する近紫外線発光体である内部ＬＥＤ１７，１７・・、外部ＬＥＤ１８，１８・・が設置されており、通常時には、目に見えない発光塗料１９による装飾が、内部ＬＥＤ１７，１７・・、外部ＬＥＤ１８，１８・・による近紫外線の照射によって目視できるようになるため、装飾が斬新であり、遊技者の遊技に対する興味を高く維持することができる。加えて、かかる装飾効果を有しているにも拘わらず、何ら問題なく、遊技盤面の任意の位置に障害釘を植設することができる。
【００２３】
また、パチンコ機１は、装飾シート１５の外側に、合成樹脂製のカバーシート１６が積層されているとともに、カバーシート１６の装飾シート１５と当接する面に、粗面化加工が施されているため、内部ＬＥＤ１７，１７・・、外部ＬＥＤ１８，１８・・によって照射された近紫外線がカバーシート１６と装飾シート１５との界面を進行する際に、カバーシート１６の裏面に形成された微細な凹凸によって散乱しながら進行する。それゆえ、内部ＬＥＤ１７，１７・・、外部ＬＥＤ１８，１８・・の発光量が僅かである場合でも、多くの近紫外線が発光塗料１９に当たり、発光塗料１９による装飾が非常に明るく発光する。したがって、少ない電気量で効率的に、斬新な装飾機能を発揮することができる。
【００２４】
さらに、パチンコ機１は、内部ＬＥＤ１７，１７・・、外部ＬＥＤ１８，１８・・が、遊技盤４に設置された図柄表示装置７に取り付けられており、その図柄表示装置７の周囲に近紫外線発光材料が塗装されているため、内部ＬＥＤ１７，１７・・、外部ＬＥＤ１８，１８・・の発光により、図柄表示装置７を周囲から際立たせることができる。
【００２５】
なお、本発明のパチンコ機の構成は、上記した各実施例の態様に何ら限定されるものではなく、機枠、前面枠、遊技盤、板部材、装飾シート、カバーシート、遊技球誘導レール、図柄表示装置、各種入賞装置、ゲート、風車、近紫外線発光体等の形状・構造等の構成を、本発明の趣旨を逸脱しない範囲で、必要に応じて適宜変更できる。
【００２６】
たとえば、パチンコ機は、近紫外線発光体を図柄表示装置に設けたものに限定されない。たとえば、図５の如く、近紫外線発光体（外部ランプ１８，１８・・）を遊技領域６の左右両端のサイドランプ１１，１１の内部あるいは外部に設けたものでも良いし、図６の如く、近紫外線発光体（内部ランプ１７，１７・・）を遊技領域６の外周に沿って設けたもの等でも良い。なお、図６の如く、近紫外線発光体（内部ランプ１７，１７・・）を遊技領域の外周に沿って設置する場合には、カバーシートの装飾シートとの当接側の面を刻設して、小さな近紫外線発光体を嵌め込む等の方法を採用することができる。上述の如く、近紫外線発光体を遊技領域の左右両端のサイドランプに設けた場合には、近紫外線発光材料による発光効果によって、遊技領域を幅広いものに感じさせる、という視覚効果を得ることができる。一方、近紫外線発光体を遊技領域の外周に沿って設けるとともに、遊技領域のほぼ全体にわたって近紫外線発光材料を塗装した場合には、近紫外線発光体を発光させることにより、遊技領域を、遠くからみた場合でも目立つように際立たせることができる。
【００２７】
さらに、装飾カバーの材質は、ウレタンシートに限定されないし、他の合成樹脂からなるシート等に変更することができる。一方、保護カバーの材質も、セルロース系プラスチックシートに限定されず、たとえば、ポリエチレンテレフタレート系のプラスチックシート（たとえば、ダウ加工株式会社製「ＰＥＴ−Ｇ」）等の他の合成樹脂製からなるシート等に変更することができる。加えて、保護カバーの厚みも上記実施形態の厚みに何ら限定されず、必要に応じて、適宜変更することができる。加えて、図柄表示装置等の遊技部材に近紫外線発光体を設置する場合には、上記実施形態の如く、近紫外線発光体を必ずしも遊技盤面の内部および外部の両方に設ける必要はなく、内部あるいは外部のいずれか一方に設けることも可能である。なお、遊技盤面の内部のみに近紫外線発光体を設置した場合には、近紫外線発光体の存在が遊技者に知られないため、近紫外線発光体の発光により近紫外線発光材料を発光させることによって遊技者を驚かすことができるので、遊技の趣向性が一段と高いものとなる。加えて、遊技盤面の内部のみに近紫外線発光体を設置する場合には、近紫外線発光体が近紫外線以外の可視光を発光した場合でも、近紫外線発光体そのものの光を遊技者に認識させることがない。それゆえ、遊技盤面の内部のみに近紫外線発光体を設置する場合には、近紫外線発光体として、近紫外線以外の可視光も発光する通常のＬＥＤを使用した場合でも、突如として近紫外線発光材料による装飾部分を発光させることによって遊技者を驚かすことが可能となる。
【００２８】
また、近紫外線発光材料は、上記実施形態の如く、近紫外線によって緑色に発光するものに限定されず、他の色に発光するものに変更することも可能である。
【００２９】
一方、パチンコ機は、上記実施形態の如く、大当たり状態の発生時に、近紫外線発光体が、効果音とともに発光するものに限定されず、別のタイミングで近紫外線発光体が発光するものに変更することも可能である。なお、近紫外線発光体を効果音とともに発光させるように構成すると、より迫力のあるイメージを遊技者に提供することが可能となる。
【図面の簡単な説明】
【００３０】
【図１】パチンコ機の正面図である。
【図２】遊技盤の正面図である。
【図３】遊技盤の断面図（図２におけるＡ−Ａ線断面）である。
【図４】近紫外線がカバーシートの内部を進む状態を示す説明図である。
【図５】近紫外線発光体をサイドランプに取り付けたパチンコ機の斜視図である。
【図６】近紫外線発光体を遊技領域の外周に設置したパチンコ機の斜視図である。
【符号の説明】
【００３１】
１・・パチンコ機
２・・機枠
３・・前面枠
４・・遊技盤
５・・遊技球誘導レール
６・・遊技領域
７・・図柄表示装置
８・・普通電動役物
９・・ゲート
１０・・大入賞口
１１・・サイドランプ
１２・・風車
１３・・障害釘
１４・・板部材
１５・・装飾シート
１６・・カバーシート
１７・・内部ＬＥＤ
１８・・外部ＬＥＤ
１９・・発光塗料
２０・・固定片
２１・・発光体設置部
【図１】
2008289935.tif 000003
【図２】
2008289935.tif 000004
【図３】
2008289935.tif 000005
【図４】
2008289935.tif 000006
【図５】
2008289935.tif 000007
【図６】
2008289935.tif 000008